(57)【特許請求の範囲】
【請求項１】
付勢体で固定アームと跳上げアームを開く方向に付勢し、固定アームと跳上げアームが開くことにより括り輪が絞られるワイヤロープを有する括り罠本体の固定アームと跳上げアームを閉じた状態で両アーム先端に掛止する掛止部と、
該掛止部と一体的に設けられ、罠仕掛け時に長さ方向の先端部が仕掛け穴の縁部の受け部に渡された状態で、上方から作用する荷重で変形することにより、前記仕掛け穴の縁部の受け部に対する前記先端部の掛止が外れるようにした踏部材とを備える
動物罠用トリガー装置。
【請求項２】
前記踏部材が、前記掛止部に対し、前記踏部材の長さ方向にスライド調節自在に取り付けられている
請求項１の動物罠用トリガー装置。
【請求項３】
付勢体で固定アームと跳上げアームを開く方向に付勢し、固定アームと跳上げアームが開くことにより括り輪が絞られるワイヤロープを有する括り罠本体の固定アームと跳上げアームを閉じた状態で両アーム先端に掛止する掛止部と、
該掛止部と一体的に設けられ、中央又は略中央に貫通穴を有する踏部材と、
該踏部材の下面側に位置し、中央又は略中央に前記貫通穴を上下動自在に貫通するトリガー部材を有し、先端部が前記踏部材の先端から突出するよう設けられ、罠仕掛け時に長さ方向の先端部が仕掛け穴の縁部の受け部に渡された状態で、前記トリガー部材を介し上方から作用する荷重で変形することにより、前記受け部に対する前記先端部の掛止が外れるようにした止め部材とを備える
動物罠用トリガー装置。
【請求項４】
付勢体で固定アームと跳上げアームを開く方向に付勢し、固定アームと跳上げアームが開くことにより括り輪が絞られるワイヤロープを有する括り罠本体の固定アームと跳上げアームを閉じた状態で両アーム先端に掛止する掛止部と、
該掛止部と一体的に設けられ、長さが調節できるように形成された踏部材と、
該踏部材の長さ方向の先端から突出するよう設けられ、罠仕掛け時に長さ方向の先端部が仕掛け穴の縁部の受け部に渡された状態で、前記踏部材に上方から作用する荷重で変形することにより、前記受け部に対する前記先端部の掛止が外れるようにした止め部材とを備える
動物罠用トリガー装置。
【請求項５】
付勢体で固定アームと跳上げアームを開く方向に付勢し、固定アームと跳上げアームが開くことにより括り輪が絞られるワイヤロープを有する括り罠本体の固定アームと跳上げアームを閉じた状態で両アーム先端に掛止する掛止部と、
該掛止部と一体的に設けられた踏部材と、
該踏部材に上下動自在且つ上方へ付勢されて中央又は略中央に取り付けられ、前記踏部材を貫通し下降することができるトリガー部材と、
前記踏部材の下面側に位置し、長さ方向の先端部が前記踏部材の先端から突出するよう設けられ、罠仕掛け時に前記先端部が仕掛け穴の縁部の受け部に渡された状態で、前記トリガー部材を介し上方から作用する荷重で変形することにより、前記受け部に対する前記先端部の掛止が外れるようにした止め部材とを備える
動物罠用トリガー装置。
【請求項６】
付勢体で固定アームと跳上げアームを開く方向に付勢し、固定アームと跳上げアームが開くことにより括り輪が絞られるワイヤロープを有する括り罠本体の固定アームと跳上げアームを閉じた状態で両アーム先端に掛止する掛止部と、
該掛止部と一体的に設けられた踏部材と、
該踏部材に上下動自在且つ上方へ付勢されて中央又は略中央に取り付けられ、前記踏部材を貫通し下降することができ、主動斜部を有するトリガー部材と、
該トリガー部材の前記主動斜部と接触する従動部を有し、罠仕掛け時に先端部が仕掛け穴の縁部の受け部に渡された状態で、前記トリガー部材の下降動作により前記主動斜部が前記従動部を動かすことでスライドし、前記受け部に対する先端部の掛止が外れるようにした止め部材とを備える動物罠用トリガー装置。
【請求項７】
付勢体で固定アームと跳上げアームを開く方向に付勢し、固定アームと跳上げアームが開くことにより括り輪が絞られるワイヤロープを有する括り罠本体の固定アームと跳上げアームを閉じた状態で両アーム先端に掛止する掛止部と、
該掛止部と一体的に設けられ、罠仕掛け時に先端部が仕掛け穴の縁部の受け部に渡された状態で、上方から荷重が作用することで先端部が後退し、前記受け部に対する先端部の掛止が外れるようにした踏部材とを備える
動物罠用トリガー装置。
【請求項８】
付勢体で固定アームと跳上げアームを開く方向に付勢し、固定アームと跳上げアームが開くことにより括り輪が絞られるワイヤロープを有する括り罠本体と、
該括り罠本体の固定アームと跳上げアームを閉じた状態で両アーム先端に掛止する掛止部と、
該掛止部と一体的に設けられた踏部材と、
該踏部材に上下動自在且つ上方へ付勢されて中央又は略中央に取り付けられ、前記踏部材を貫通し下降することができるトリガー部材と、
前記踏部材の下面側に位置し、長さ方向の先端部が前記踏部材の先端から突出するよう設けられ、罠仕掛け時に前記先端部が仕掛け穴の縁部の受け部に渡された状態で、前記トリガー部材を介し上方から作用する荷重で変形することにより、前記受け部に対する前記先端部の掛止が外れるようにした止め部材を有する動物罠用トリガー装置とを備える
動物罠。
【請求項９】
上部に開口部を有する箱型で、前記括り罠本体を設置する設置部と、前記開口部側に前記括り輪を内掛けするワイヤ掛けを有し、前記設置部とは反対側に受け部を有する仕掛け補助具を備える
請求項８の動物罠。
【請求項１０】
前記仕掛け補助具の前記受け部側に、前記止め部材の先端を当接させて前記踏部材の先端部が前記受け部に掛からないようにするストッパーを有する
請求項９の動物罠。
【請求項１１】
括り罠本体の固定アームと跳上げアームを付勢力に抗して閉じ、動物罠用トリガー装置の掛止部で前記固定アームと前記跳上げアームの先端を掛止し、前記固定アームと前記跳上げアームが開くことにより絞られるワイヤロープの括り輪を、先端部が仕掛け穴の縁部の受け部に渡された踏部材を囲むようにしてセットし、動物罠を仕掛け状態とする工程と、
動物の足が前記括り輪の内側を充分な踏力を以て踏んだときには、上方から荷重が作用することで前記踏部材の先端部を後退させ、前記受け部に対する前記踏部材の先端部の掛止を外すことで前記動物罠用トリガー装置による前記両アーム先端の掛止を解除し罠を作動させる工程と、
動物の足が前記括り輪の内側を充分でない踏力を以て踏んだときには、上方から荷重が作用しても前記踏部材が充分に変形又はスライドしないようにして前記受け部に対する踏部材の先端部の掛止を外さないようにし罠を作動させない工程とを備える
動物罠の空作動防止方法。
【発明の詳細な説明】
【技術分野】
【０００１】
本発明は、動物罠用トリガー装置、それを備えた動物罠及び動物罠の空作動防止方法に関するものである。更に詳しくは、捕獲対象獣であるイノシシ等の動物の足が、ワイヤロープの括り輪で括ることができる位置で、且つ充分な踏力を以て踏んだときに作動するようにしたものに関する。
【背景技術】
【０００２】
近年、イノシシ等による農作物の被害はますます増加の傾向にあり、一部では里に下りてきたこれら動物に人が襲われて怪我をする事態が相次いでいる。したがって、自治体等では、これら動物を人と共存できる適正な頭数に維持するため、一定数を捕獲するようにしている。しかし、例えば動物罠を使用した猟には、ある程度の熟練を必要とするが、このような猟師は年々減少していく傾向にあるため、練度の低い初心者でも狩猟対象獣を効率よく捕獲できるようにすることが望まれている。
【０００３】
足括り罠等の動物罠による捕獲率を良くするには、罠が作動したにも関わらず動物の捕獲に失敗する、いわゆる「空作動」を防止する必要がある。足括り罠の空作動は、そのほとんどが、捕獲対象獣であるイノシシ等の動物の足が、ワイヤロープの括り輪で括ることができない位置にあるときに、又は足がワイヤロープの括り輪で括ることができる位置にあっても踏力が充分でないときに罠が作動してしまうことにより起こる。足括り罠に使用する従来のトリガー具としては、例えば特許文献１に開示された動物罠用トリガー具がある。
【０００４】
特許文献１の動物罠用トリガー具は、踏み部が左右に移動可能で、括り罠本体と踏板の位置をそれぞれ別々に調節することができるものであるが、この機能を有していない、より簡易な構造のトリガー具も多く使用されている。このようなトリガー具は、括り罠の仕掛けの状態では、落とし穴の上部開口部に配され、掛止部で括り罠の固定アームと跳上げアームを閉じた状態で両アーム先端を掛止し、踏み部には踏板の一方側の端部が載せられている（特許文献１の図２参照）。
【０００５】
そして、踏板に被せてある土や木の葉の層を動物の足が踏むことで踏板が落ち、それによってトリガー具が落ちて両アーム先端の掛止を解除し、括り罠が作動する。このとき、動物の足の踏力が充分に強いと、足が仕掛け穴に深く入り、ワイヤロープの括り輪で脚の元部が括られるため、動物をより確実に捕獲することができる。
【先行技術文献】
【特許文献】
【０００６】
【特許文献１】特開２００１−１１２３９８号公報
【発明の概要】
【発明が解決しようとする課題】
【０００７】
しかしながら、上記従来の動物罠用トリガー具には、次のような課題があった。
すなわち、括り罠を仕掛ける際には、掛止部によって、固定アームと跳上げアームを閉じた状態で両アーム先端を掛止している動物罠用トリガー具の踏み部に、踏板の一方側の端部が載せられてセットされるので、踏板に比較的小さな衝撃や力が作用しただけで、踏板が落ちてトリガー具が固定アームと跳上げアームの先端の掛止を解除してしまう嫌いがあった。
【０００８】
このため、例えば、動物の足が、ワイヤロープの括り輪で確実に括ることができる位置であるワイヤロープの括り輪の内側を充分でない踏力を以て踏んだ場合、又はワイヤロープの括り輪で括ることができない位置、例えば括り輪のロープの上やその外側、或いは括り罠本体の跳上げアーム先端等を踏んだ場合でも、罠が仕掛者の意図しない作動をし、結果的に足を括ることができずに空作動となってしまうことがあり、空作動が起こらないようにしたいという市場の要求に充分に応えているとはいえなかった。
【０００９】
本発明は、以上の点に鑑みて創案されたものであり、捕獲対象獣であるイノシシ等の動物の足が、ワイヤロープの括り輪で括ることができる位置にあり、且つ充分な踏力を以て踏んだときに作動するようにして空作動を防止した動物罠用トリガー装置、それを備えた動物罠及び動物の足がワイヤロープの括り輪で括ることができる位置で、且つ充分な踏力を以て踏んだときに罠を作動させる動物罠の空作動防止方法を提供することを目的とする。
【課題を解決するための手段】
【００１０】
（１）本発明は、括り罠の固定アームと跳上げアームを閉じた状態で両アーム先端に掛止する掛止部と、該掛止部と一体的に設けられ、罠仕掛け時に長さ方向の先端部が仕掛け穴の縁部の受け部に渡された状態で、上方から作用する荷重で変形することにより、前記仕掛け穴の縁部の受け部に対する前記先端部の掛止が外れるようにした踏部材とを備える動物罠用トリガー装置である。（図８参照）
【００１１】
（２）本発明は、前記踏部材が、前記掛止部に対し、前記踏部材の長さ方向にスライド調節自在に取り付けられている構成とすることができる。（図１１参照）
【００１２】
例えば罠を仕掛けるときにＢＯＸ状の仕掛け補助具を使用する場合、動物罠の作動後、踏部材が下方へ膨らむように撓み変形し、仕掛け補助具の内部で踏部材の撓み性によるバネが利いた状態で固定されてしまうことがある。
このような場合、掛止部に対する踏部材の固定を緩めることにより、踏部材の反発力により踏部材をスライドさせて踏部の全体の長さを短くしてバネ力を弱めることができるので、比較的容易に踏部の引っ掛かった状態を解除できる。
【００１３】
（３）本発明は、括り罠の固定アームと跳上げアームを閉じた状態で両アーム先端に掛止する掛止部と、該掛止部と一体的に設けられ、中央又は略中央に貫通穴を有する踏部材と、該踏部材の下面側に位置し、中央又は略中央に前記貫通穴を下から上へ上下動自在に貫通するトリガー部材を有し、先端部が前記踏部材の先端から突出するよう設けられ、罠仕掛け時に長さ方向の先端部が仕掛け穴の縁部の受け部に渡された状態で、前記トリガー部材を介し上方から作用する荷重で変形することにより、前記受け部に対する前記先端部の掛止が外れるようにした止め部材とを備える動物罠用トリガー装置である。（図９参照）
【００１４】
この場合、トリガー部材が止め部材及び踏部材の上面側の中央又は略中央にあることにより、動物の足がトリガー部材を踏んで罠が作動する際の足の位置は、当然に止め部材及び踏部材の中央近辺、つまり踏部材を囲むようにセットされるワイヤロープの括り輪の中央近辺に位置することになるので、動物をより確実に捕獲することができる。
【００１５】
（４）本発明は、括り罠の固定アームと跳上げアームを閉じた状態で両アーム先端に掛止する掛止部と、該掛止部と一体的に設けられ、長さが調節できるように形成された踏部材と、該踏部材の長さ方向の先端から突出するよう設けられ、罠仕掛け時に長さ方向の先端部が仕掛け穴の縁部の受け部に渡された状態で、前記踏部材に上方から作用する荷重で変形することにより、前記受け部に対する前記先端部の掛止が外れるようにした止め部材とを備える動物罠用トリガー装置である。（図１０参照）
【００１６】
この場合、踏部材の長さが調節できるので、止め部材自体の長さが変化しなくても、止め部材において踏部材の長さ方向先端から突出する部分の長さを調節することができる。つまり、止め部材のこの部分は、受け部に掛止されることで、踏部材及び止め部材に上方から作用する荷重を支える部分であり、踏部材の長さ方向先端と受け部の縁との間の間隔（スパン）が長くなるほど変形に対する剛性がより低くなって変形しやすくなり、短くなるほど剛性が高くなって変形しにくくなる。したがって、踏部材の長さを調節することにより、受け部に対する止め部材の先端部の掛止が外れる感度を調節することが可能になる。
【００１７】
（５）本発明は、括り罠の固定アームと跳上げアームを閉じた状態で両アーム先端に掛止する掛止部と、該掛止部と一体的に設けられた踏部材と、該踏部材に上下動自在且つ上方へ付勢されて中央又は略中央に取り付けられ、前記踏部材を貫通し下降することができるトリガー部材と、前記踏部材の下面側に位置し、長さ方向の先端部が前記踏部材の先端から突出するよう設けられ、罠仕掛け時に前記先端部が仕掛け穴の縁部の受け部に渡された状態で、前記トリガー部材を介し上方から作用する荷重で変形することにより、前記受け部に対する前記先端部の掛止が外れるようにした止め部材とを備える動物罠用トリガー装置である。（図１参照）
【００１８】
この場合、動物罠を仕掛けた後、動物の足がトリガー部材を上方から踏むことにより、トリガー部材は下降し、トリガー部材の下端が止め部材を下方へ膨らむように撓み変形させる。止め部材は、まず先端部が受け部に対し自由に動けるように掛止された状態（又は掛かった状態）で上記のように変形し、トリガー部材が動物の足で充分な踏力を以て踏まれることにより、ついには先端部の受け部に対する掛止が外れ、動物罠用トリガー装置は下方へ落ちる。これにより、動物罠用トリガー装置による両アーム先端の掛止が解除されて罠が作動する。
【００１９】
また、トリガー部材が止め部材の中央又は略中央にあることにより、動物の足が突起を踏んで罠が作動する際の足の位置は、当然に止め部材の中央近辺、つまり止め部材を囲むようにセットされるワイヤロープの括り輪の中央近辺に位置することになるので、動物をより確実に捕獲することができる。
【００２０】
（６）本発明は、括り罠の固定アームと跳上げアームを閉じた状態で両アーム先端に掛止する掛止部と、該掛止部と一体的に設けられた踏部材と、該踏部材に上下動自在且つ上方へ付勢されて中央又は略中央に取り付けられ、前記踏部材を貫通し下降することができ、主動斜部を有するトリガー部材と、該トリガー部材の前記主動斜部と接触する従動部を有し、罠仕掛け時に先端部が仕掛け穴の縁部の受け部に渡された状態で、前記トリガー部材の下降動作により前記主動斜部が前記従動部を動かすことでスライドし、前記受け部に対する先端部の掛止が外れるようにした止め部材とを備える動物罠用トリガー装置である。（図７参照）
【００２１】
この場合、動物罠を仕掛けた後、動物の足がトリガー部材を上方から踏むことにより、トリガー部材は下降し、トリガー部材の主動斜部と例えば付勢力を以て接触している従動部は主動斜部の下降により動き、これにより止め部材がスライドし、トリガー部材が動物の足で充分な踏力を以て踏まれることにより、ついには先端部の受け部に対する掛止が外れ、動物罠用トリガー装置は下方へ落ちる。これにより、動物罠用トリガー装置による両アーム先端の掛止が解除されて罠が作動する。
【００２２】
また、トリガー部材が止め部材の中央又は略中央にあることにより、動物の足が突起を踏んで罠が作動する際の足の位置は、当然に止め部材の中央近辺、つまり止め部材を囲むようにセットされるワイヤロープの括り輪の中央近辺に位置することになるので、動物をより確実に捕獲することができる。
【００２３】
（７）本発明は、括り罠の固定アームと跳上げアームを閉じた状態で両アーム先端に掛止する掛止部と、該掛止部と一体的に設けられ、罠仕掛け時に先端部が仕掛け穴の縁部の受け部に渡された状態で、上方から荷重が作用することで先端部が後退し、前記受け部に対する先端部の掛止が外れるようにした踏部材とを備える動物罠用トリガー装置である。
【００２４】
（８）本発明は、付勢体で固定アームと跳上げアームを開く方向に付勢し、固定アームと跳上げアームが開くことにより括り輪が絞られるワイヤロープを有する括り罠本体と、括り罠の固定アームと跳上げアームを閉じた状態で両アーム先端に掛止する掛止部と、該掛止部と一体的に設けられた踏部材と、該踏部材に上下動自在且つ上方へ付勢されて中央又は略中央に取り付けられ、前記踏部材を貫通し下降することができるトリガー部材と、前記踏部材の下面側に位置し、長さ方向の先端部が前記踏部材の先端から突出するよう設けられ、罠仕掛け時に前記先端部が仕掛け穴の縁部の受け部に渡された状態で、前記トリガー部材を介し上方から作用する荷重で変形することにより、前記受け部に対する前記先端部の掛止が外れるようにした止め部材を有する動物罠用トリガー装置とを備える動物罠である。
【００２５】
（９）本発明は、上記（８）の発明において、上部に開口部を有する箱型で、前記括り罠本体を設置する設置部と、前記開口部側に前記括り輪を内掛けするワイヤ掛けを有し、前記設置部とは反対側に受け部を有する仕掛け補助具を備える構成とすることもできる。
【００２６】
この場合、仕掛け補助具が箱型であり、括り罠本体の設置部に対する受け部の位置も決まっているので、括り罠本体と動物罠用トリガー装置及び仕掛け補助具を組み合わせて罠を仕掛けたときに、受け部に渡された止め部材の先端部の受け部に対する掛かり具合に変化やズレが生じにくく、動物罠は、当初設定の通りに安定して作動する。
【００２７】
（１０）本発明は、上記（８）の発明において、前記仕掛け補助具の前記受け部側に、前記止め部材の先端を当接させて前記踏部材の先端部が前記受け部に掛からないようにするストッパーを有する構成とすることもできる。
【００２８】
この場合、仕掛け補助具に対する動物罠用トリガー装置のセッティングの際に、止め部材の先端をストッパーに当接させるだけで、踏部材が当初設定通りの位置に配置され、踏部材の先端部が受け部に掛かってしまい罠が作動しなくなる事態を回避することが可能になり、簡単でより確実な仕掛けができる。
【００２９】
（１１）本発明は、括り罠本体の固定アームと跳上げアームを付勢力に抗して閉じ、動物罠用トリガー装置の掛止部で前記固定アームと前記跳上げアームの先端を掛止し、前記固定アームと前記跳上げアームが開くことにより絞られるワイヤロープの括り輪を、先端部が仕掛け穴の縁部の受け部に渡された踏部材を囲むようにしてセットし、動物罠を仕掛け状態とする工程と、動物の足が前記括り輪の内側を充分な踏力を以て踏んだときには、上方から荷重が作用することで前記踏部材の先端部を後退させ、前記受け部に対する前記踏部材の先端部の掛止を外すことで前記動物罠用トリガー装置による前記両アーム先端の掛止を解除し罠を作動させる工程と、動物の足が前記括り輪の内側を充分でない踏力を以て踏んだときには、上方から荷重が作用しても前記踏部材が充分に変形又はスライドしないようにして前記受け部に対する踏部材の先端部の掛止を外さないようにし罠を作動させない工程とを備える動物罠の空作動防止方法である。
【００３０】
本明細書及び特許請求の範囲にいう「仕掛け穴の縁部の受け部」の文言は、例えば地面に掘った仕掛け穴の開口縁等に埋設等により固定された木板や金属板等の受け部材の上面縁、或いは地面に掘った仕掛け穴に収容するようにして埋設される金属製やプラスチック製のボックス状の仕掛け補助具の開口縁等を含む意味で使用している。
【００３１】
（作用）
本発明の動物罠用トリガー装置及びそれを備えた動物罠の作用を説明する。
動物罠用トリガー装置は、例えば括り罠本体の固定アームと跳上げアームを付勢力に抗して閉じ、掛止部で固定アームと跳上げアームの先端を掛止してセットされる。そして、上記両アームが開くことにより絞られるワイヤロープの括り輪を、先端部が仕掛け穴の縁部の受け部に渡された踏部材を囲むようにしてセットする。これにより、動物罠を仕掛け状態とする。
【００３２】
そして、獣道を移動する動物の足がワイヤロープの括り輪の内側を充分な踏力を以て踏んだときには、上方から荷重が作用することで踏部材が変形し、踏部材の先端部が後退して、受け部に対する踏部材の先端部の掛止が外れる。これにより、動物罠用トリガー装置による両アーム先端の掛止が解除されて罠が作動する。このとき、動物の足が、括り輪で括ることができる位置で充分な踏力を以て踏んでいるので、足が仕掛け穴に深く入り、ワイヤロープの括り輪で脚の元部が括られるため、動物をより確実に捕獲することができる。
【００３３】
また、動物の足が括り輪の内側を充分でない踏力を以て踏んだときには、上方から荷重が作用しても踏部材が充分に変形しない。このため、受け部に対する踏部材の先端部の掛止が外れないので、罠が作動することはない。このように、動物の足が、括り輪で括ることができる位置で、なお且つ止め部材が変形することで止め部の先端部が受け部から外れるだけの充分な踏力を以て踏まないと、固定アームと跳上げアームの先端の掛止を解除することができないため、罠は作動しない。
【００３４】
したがって、動物罠用トリガー装置によれば、動物の捕獲に成功する可能性が高い条件下、すなわち動物の足が括り輪で括ることができる位置にあり、且つ止め部材が変形することで止め部の先端部が受け部から外れるだけの充分な踏力を以て踏まれた場合に罠を作動させることができる。また、一方で、動物の捕獲に失敗する可能性が高い条件下、すなわち動物の足が括り輪で括ることができない位置にある場合、又は足が括り輪で括ることができる位置にあっても、止め部材が変形することで止め部の先端部が受け部から外れるだけの充分な踏力を以て踏まなかった場合は、罠の作動を止めることができる。これにより、動物罠の空作動を防止することが可能になる。
【発明の効果】
【００３５】
本発明は、捕獲対象獣であるイノシシ等の動物の足が、ワイヤロープの括り輪で括ることができる位置にあり、且つ充分な踏力を以て踏んだときに作動するようにした動物罠用トリガー装置、それを備えた動物罠、及び動物の足が、ワイヤロープの括り輪で括ることができる位置で充分な踏力を以て踏んだときに罠を作動させる動物罠の空作動防止方法を提供することができる。
【図面の簡単な説明】
【００３６】
【図１】本発明の動物罠用トリガー装置の第１実施の形態を示す斜視説明図である。
【図２】図１の動物罠用トリガー装置を備えた動物罠を仕掛け補助具と組み合わせて獣道に仕掛けた状態を示す側面視断面説明図である。
【図３】図１の動物罠用トリガー装置を備えた動物罠を仕掛け補助具と組み合わせて獣道に仕掛けた状態を示す平面視説明図である。
【図４】図１の動物罠用トリガー装置を備えた動物罠と仕掛け補助具を組み合わせた状態を示し、（ａ）はセット状態、（ｂ）は作動状態を示す断面説明図である。
【図５】図１の動物罠用トリガー装置を備えた動物罠を獣道に掘った穴に直接仕掛けた状態を示す側面視断面説明図である。
【図６】動物罠用トリガー装置の踏部材を安定させるための止め部材の構造のバリエーションを示す説明図。
【図７】本発明の動物罠用トリガー装置の第２実施の形態を示し、（ａ）は仕掛け補助具と組み合わせたセット状態の平面図、（ｂ）は動物罠と仕掛け補助具を組み合わせたときの作動状態を示す断面説明図である。
【図８】本発明の動物罠用トリガー装置の第３実施の形態を示し、（ａ）は仕掛け補助具と組み合わせたセット状態の平面図、（ｂ）は動物罠と仕掛け補助具を組み合わせたときの作動状態を示す断面説明図である。
【図９】本発明の動物罠用トリガー装置の第４実施の形態を示し、（ａ）は仕掛け補助具と組み合わせたセット状態の平面図、（ｂ）は動物罠と仕掛け補助具を組み合わせたときの作動状態を示す断面説明図である。
【図１０】本発明の動物罠用トリガー装置の第５実施の形態を示し、（ａ）は仕掛け補助具と組み合わせたセット状態の平面図、（ｂ）は動物罠と仕掛け補助具を組み合わせたときの作動状態を示す断面説明図である。
【図１１】本発明の動物罠用トリガー装置の第６実施の形態を示す平面視説明図である。
【図１２】罠作動後に、動物罠用トリガー装置の第６実施の形態の踏部材が仕掛け補助具内で撓んで引っ掛かった状態を示す説明図である。
【図１３】動物罠用トリガー装置の第６実施の形態の踏部材の他例を示す部分平面図である。
【発明を実施するための形態】
【００３７】
本発明を図面に示した実施の形態に基づき詳細に説明する。なお、場所又は方向を表す説明において、「前後」、「左右」の用語を使用する場合があるが、各図において右側が前、左側が後に対応し、下側が左、上側が右に対応するものである。
【００３８】
〔動物罠用トリガー装置の実施の形態１〕
図１、図２、図３及び図４を参照する。
動物罠用トリガー装置Ａ１は、掛止部１、踏部２、トリガー部３及び止め部材４を有している。
掛止部１は金属製で、後で説明する括り罠６の固定アーム６１と跳上げアーム６２を閉じた状態で両アーム先端に掛止し、固定アーム６１と跳上げアーム６２が閉じた状態を維持するものである。掛止部１は、固定アーム６１先端に掛ける掛部１１と、跳上げアーム６２先端に掛ける掛部１２を有する本体１０と、本体１０に角度調節自在に取り付けられている取付台具１３を有している。
【００３９】
取付台具１３には、金属製の踏部２が取り付けられている。踏部２は、取付台具１３に固定されている踏部材取付具２１と、踏部材取付具２１に固定されている踏部材２２を有している。踏部材取付具２１は断面Ｌ状の板体で、所定の長さを有し、その縦板（符号省略）の両端部には上方へ突出した掛け爪２３を有している。
【００４０】
踏部材２２は、後で説明する止め部材４と共に、踏部材取付具２１の横板（符号省略）に、後で説明するようにネジ止めされている。踏部材２２は四角形状であり、その幅は踏部材取付具２１の長さとほぼ同じ長さである。踏部材２２の幅方向の両端辺部は、全長にわたり同幅で上方へやや傾斜させてあり、踏部材２２の剛性が高められている。踏部材２２の長さは、後で説明する仕掛け補助具５の開口部の差し渡しよりやや短く形成されている（図２等参照）。
【００４１】
踏部材２２の中央よりやや踏部材取付具２１寄りには、踏部材２２の長さ方向に長い長円孔２４が形成されている。長円孔２４の両側には、長円孔２４とやや距離をおいて、それぞれ三箇所にネジ孔２５、２５、２５及びネジ孔２５ａ、２５ａ、２５ａが等間隔で形成されている。踏部材２２の長円孔２４が形成されている位置の上面側には、トリガー部３が設けられている。
【００４２】
トリガー部３は、軸受具３１とトリガー部材３２を有している。軸受具３１は、円形の基盤３１０とその中心部に形成されている円管３１１で構成され、円管３１１の中心孔が基盤３１０まで貫通する軸孔３１２となっている。基盤３１０の直径線上の二箇所には、上記踏部材２２の長さ方向に等位置にあるネジ孔２５、２５ａに対応する通孔（符号省略）が形成されている。また、円管３１１の下側には、軸孔３１２に貫通するネジ孔３１３が形成されている。
【００４３】
ネジ孔３１３には、ネジ３１４が螺合され、ネジ３１４の先端部は、軸孔３１２内に突出させることができる。軸受具３１は、各通孔を上記各ネジ孔２５、２５ａに合わせ、ネジ止めすることで固定されている。なお、軸受具３１の取り付け位置は、上記踏部材２２の長さ方向に三段階に調節できる。この調節により、後で説明する止め部材４の変形量が変わるので、結果的に罠が作動する感度を調節することができる。
【００４４】
トリガー部材３２は、金属製で丸棒状の軸部３２０を有し、軸部３２０の上端部には、截頭円錐体を逆さにした形状のプラスチック製の接触体３２１が固定されている。軸部３２０は、軸孔３１２の内壁に対し? .動しながら上下動が可能であり、先端部は丸められている。軸部３２０の長さは、軸部３２０の先端が後で説明する止め部材４に当たったときに、軸部３２０の上部側が所定の長さだけ円管３１１の上端から突出する長さに設定されている（図４（ａ）参照）。
【００４５】
そして、軸部３２０がほぼ最下部まで下降したときには、先端部が長円孔２４を貫通し、止め部材４を変形させて、後で説明する受け部５０に対する先端部の掛止を外すことができる充分な長さで長円孔２４から下方へ突出する（図４（ｂ）参照）。軸部３２０の下側の外周面には、上下方向に長いガイド溝３２２が形成されている。ガイド溝３２２には、軸部３２０を軸孔３１２に差し入れた状態で、上記ネジ孔３１３に螺合されたネジ３１４の先端部が入れられる。
【００４６】
これにより、トリガー部材３２の上下動のストロークが設定されると共に、トリガー部材３２の抜け止めと軸周方向の回転止めが図られる。なお、円管３１１、軸部３２０及び接触体３２１には、軟らかで変形性を有するプラスチック製のカバー筒１４が嵌め込まれる。カバー筒１４は、仕掛けたときに可動部分に土が入らないようにして、円滑な作動を助けるものである。
【００４７】
止め部材４は、金属製で可撓性を有する、長方形状の板体である。止め部材４は、踏部材２２の下面側に接触して配置されており、上記したように、踏部材２２と共に踏部材取付具２１の横板にネジ４１で固定されている。止め部材４の長さは、取り付け状態において、先端部が踏部材２２の先端縁よりやや突出する長さ、且つ仕掛け補助具５と組み合わせてセットしたときに、仕掛け補助具５の開口部の縁にある受け部５０に届いて掛止できる長さに設定されている（図２、図４（ａ）参照）。
【００４８】
（作用）
図１ないし図５を参照して、動物罠用トリガー装置Ａ１及び動物罠Ｔ１の作用を説明する。
動物罠Ｔ１は、動物罠用トリガー装置Ａ１と、括り罠本体６及び仕掛け補助具５により構成されている。括り罠本体６は、基部側を回動可能に軸支された固定アーム６１と跳上げアーム６２を有し、両アーム６１、６２は、ねじりコイルバネ６３を介し開く方向に付勢されている。
【００４９】
固定アーム６１の先端部には滑車６４と掛かり部６５を有し、跳上げアーム６２の先端部には滑車６６と掛かり部６７を有している。また、固定アーム６１の先部寄りには、杭を固定する杭固定具６８が取り付けてある。そして、ワイヤロープ６９が滑車６４と滑車６６に通され、ワイヤロープ６９の先端部には括り輪６９０が形成されている。
【００５０】
仕掛け補助具５は、ステンレススチール製で、上下が開口し、平面視で四角形状の箱である。仕掛け補助具５の一方側には括り罠本体６を設置する設置部５１が設けられ、上部側の開口部には括り輪６９０を内掛けするワイヤ掛け５２が設けられている。そして、設置部５１とは反対側の側板５３上端が受け部５０となっている。
【００５１】
そして、動物罠Ｔ１は次のようにして獣道に仕掛けられる（図２参照）。
獣道７の適当な箇所に仕掛け穴７０が形成され、仕掛け穴７０に仕掛け補助具５が安定するようにして収容される。動物罠用トリガー装置Ａ１は、括り罠本体６の固定アーム６１と跳上げアーム６２をねじりコイルバネ６３の付勢力に抗して閉じ、掛止部１の掛部１１、１２で固定アーム６１の掛かり部６５と跳上げアーム６２の掛かり部６７を掛止してセットされている。
【００５２】
括り罠本体６の杭固定具６８に杭６８０を固定し、仕掛け補助具５の設置部５１に杭固定具６８を載せるようにして杭６８０を土にたて込む。括り罠本体６の角度を斜面に合うように調節すると共に、仕掛け補助具５の内部側にある動物罠用トリガー装置Ａ１の踏部材２２を水平になるように、且つ止め部材４の先端部を仕掛け補助具５の受け部５０に渡すように載せて掛止する。
また、ワイヤロープ６９の括り輪６９０は、ワイヤ掛け５２に内掛けする。この状態では、トリガー部材３２の接触体３２１の上端は、セットされた括り輪６９０よりやや上方にある。最後に、カムフラージュのための土や木の葉等を全体に被せて、動物罠Ｔ１を仕掛け状態とする（図２、図３、図４（ａ）参照）。
【００５３】
そして、獣道７を移動する動物の足８がワイヤロープ６９の括り輪６９０のほぼ中心部にあるトリガー部材３２を上方から踏むことにより、トリガー部材３２は下降し、トリガー部材３２の先端が止め部材４を下方へ膨らむように撓み変形させる（図４（ｂ）参照）。止め部材４は、まず先端部が受け部５０に対し自由に動けるように掛止された状態（又は載せた状態）で上記のように変形し、トリガー部材４が動物の足８で充分な踏力を以て踏まれることにより、ついには先端部の受け部５０に対する掛止が外れ、ガイド溝３２２の内天部がネジ３１４の先端に当たり、更に下方へ押されることにより、動物罠用トリガー装置Ａ１は落ちる（図４（ｂ）参照）。これにより、動物罠用トリガー装置による両アーム６１、６２先端の掛止が解除されて罠が作動する。
【００５４】
なお、罠作動時には、動物の足８が、括り輪６９０で括ることができる位置であるトリガー部材３２に触れていることにより、動物の足８は、当然に止め部材４を囲むようにセットされるワイヤロープ６９の括り輪６９０の中央近辺に位置することになる。また、動物の足８は、充分な踏力を以て踏んでいるので、動物罠用トリガー装置Ａ１が落ちるのに伴い、足８が仕掛け補助具５の内部に深く入り、ワイヤロープ６９の括り輪６９０で脚の元部が括られることとも相まって、動物をより確実に捕獲することができる。
【００５５】
さらに、仕掛け補助具５がステンレススチール製の箱であり、設置部５１に対する受け部５０の位置も決まっているので、括り罠本体６と動物罠用トリガー装置Ａ１及び仕掛け補助具５を組み合わせて罠を仕掛けたときに、受け部５０に渡された止め部材４の先端部の受け部５０に対する掛かり具合に変化やズレが生じにくく、動物罠Ｔ１は当初設定の通りに安定して作動する。
【００５６】
また、動物の足８がトリガー部材３２に触れない位置、或いは触れても充分でない踏力を以て踏んだときには、受け部５０に対する止め部材４の先端部の掛止が外れないので、罠が作動することはない。このように、動物の捕獲に失敗する可能性が高い条件下では、動物罠Ｔ１が作動しないため、罠の空作動を防止できる。
【００５７】
次に図５を参照する。
図５には、動物罠Ｔ１ａを、獣道７に掘った仕掛け穴７０に、直接仕掛けた状態を示している。
動物罠Ｔ１ａは、動物罠用トリガー装置Ａ１と括り罠本体６により構成されており、上記動物罠Ｔ１とは相違して仕掛け補助具５は使用しない。仕掛け穴７０の開口縁の一方側に木板７１が立てて埋設されており、木板７１の上端面が受け部７１０となっている。そして、動物罠Ｔ１ａを仕掛ける際には、止め部材４の先端部を受け部７１０に渡して掛けるようにする。
なお、動物罠Ｔ１ａの作用については、上記動物罠Ｔ１と実質的に同様であるので、説明を省略する。
【００５８】
図６を参照して、動物罠用トリガー装置の踏部材２２を安定させるための止め部材の構造のバリエーションを説明する。
図６（ａ）に示している動物罠用トリガー装置（符号省略）の止め部材４ｘは、踏部材２２をガタついたりしないよう安定させるために幅広く形成しており、これにより剛性をより高くして、罠作動の感度が鈍くなるようにしている。図６（ｂ）に示している動物罠用トリガー装置（符号省略）の止め部材４ｙは、踏部材２２を安定させるために先端側の幅だけを幅広く形成しており、罠作動の感度もやや鈍くなるようにしている。
【００５９】
図６（ｃ）に示している動物罠用トリガー装置（符号省略）の止め部材４ｚは、踏部材２２を安定させるために先端側の幅だけを幅広く、且つ二股に形成しており、罠作動の感度もやや鈍くなるようにしている。このように、罠作動の感度を調節することで、例えばキツネやタヌキ、或いはイノシシの幼獣では作動しないようにする等、捕獲する対象となる動物の種類や大きさの選択が可能になる。なお、止め部材自体の剛性を変えることにより、罠作動の感度を調節することも可能である。
【００６０】
〔動物罠用トリガー装置の実施の形態２〕
図７を参照する。なお、図７において、上記動物罠用トリガー装置Ａ１と同一または同等箇所には同一の符号を付して示し、構造について重複する説明は省略する。
動物罠用トリガー装置Ａ２は、掛止部１、踏部２、トリガー部３ａ及び止め部材４ａを有している。
【００６１】
トリガー部３ａは、トリガー部材３２ａの軸部３２０ａの先端側後部に主動斜部３２３が形成されている。主動斜部３２３は、軸部３２０ａの軸方向に対し約３０°で傾斜した平坦面である。
止め部材４ａは、金属製で長方形状の板体である。止め部材４ａは、荷重が作用しても容易には変形しない剛性を有している。止め部材４ａは、踏部材２２の下面側の幅方向中間に、長さ方向の二箇所に所定の間隔でネジ止めされているガイド部材４２、４３に差し込まれている。ガイド部材４２、４３は、それぞれ止め部材４ａよりやや幅が広い隙間（符号省略）を踏部材２２との間で形成しており、止め部材４ａは前後にスライド可能である。
【００６２】
止め部材４ａは、後部寄りに四角形の従動口４４を有している。従動部である従動口４４は、トリガー部材３２ａが貫通できる口径を有し、後部側の口縁４４１が主動斜部３２３と接触する。そして、罠の仕掛けにおいては、止め部材４ａの先端部を仕掛け補助具５の受け部５０に掛止し、且つトリガー部材３２ａが上位置にあり、従動口４４の口縁４４１が主動斜部３２３の下部側に接触するようにしてセットされる。なお、止め部材４ａを先方向へバネ等の付勢体で付勢するようにし、この付勢体の強さを調節することで、罠作動の感度を調節することができる。或いは、主動斜部３２３の角度を調節することで、罠作動の感度を調節することができる（角度が垂直に近いほど弱い荷重で作動するが、止め部材４ａの後退時のストロークが小さくなる）。
【００６３】
（作用）
動物罠Ｔ２は、動物罠用トリガー装置Ａ２と、括り罠本体６及び仕掛け補助具５により構成されている。
動物罠Ｔ２を仕掛けた後、動物の足８がトリガー部材３２ａを上方から踏むことにより、トリガー部材３２ａは下降し、トリガー部材３２ａの主動斜部３２３と接触している従動口４４は主動斜部３２３の下降により押されて動き、これにより止め部材４ａが後退する。
【００６４】
そして、トリガー部材３２ａが動物の足８で充分な踏力を以て踏まれることにより、ついには止め部材４ａの先端部の受け部５０に対する掛止が外れ、ガイド溝３２２の内天部がネジ３１４の先端に当たり、更に下方へ押されることにより、動物罠用トリガー装置Ａ１は落ちる。これにより、動物罠用トリガー装置Ａ１による両アーム６１、６２先端の掛止が解除されて動物罠Ｔ２が作動する。
【００６５】
なお、動物の足８がトリガー部材３２ａに触れない位置、或いは触れても充分でない踏力を以て踏んだときには、受け部５０に対する止め部材４ａの先端部の掛止が外れないので、罠が作動することはない。このように、上記動物罠Ｔ１と同様に、動物の捕獲に失敗する可能性が高い条件下では、動物罠Ｔ２は作動しないので、罠の空作動を防止できる。
【００６６】
〔動物罠用トリガー装置の実施の形態３〕
図８を参照する。なお、図８において、上記動物罠用トリガー装置Ａ１と同一または同等箇所には同一の符号を付して示し、構造について重複する説明は省略する。
動物罠用トリガー装置Ａ３は、掛止部１及び掛止部１と一体的に設けられた踏部２ｂを有している。
【００６７】
踏部２ｂは、金属製で可撓性を有する長方形状の板体である踏部材２２ｂを有している。踏部材２２ｂの長さは、仕掛け補助具５と組み合わせてセットしたときに、先端部が仕掛け補助具５の開口部の縁にある受け部５０に届いて掛止できる長さに設定されている。なお、踏部材２２ｂには、前部側に三箇所、剛性が低くなるように（又は撓みやすいように）調節するための抜き部２２１が形成されており、中央部には取り扱いを容易にする指入れ孔２２６が形成されている。
【００６８】
（作用）
動物罠Ｔ３は、動物罠用トリガー装置Ａ３と、括り罠本体６及び仕掛け補助具５により構成されている。そして、獣道７を移動する動物の足８がワイヤロープ６９の括り輪６９０の内側を充分な踏力を以て踏んだときには、足８による荷重が踏部材２２ｂに直接又は土や木の葉の層を介し伝わって踏部材２２ｂが下方へ膨らむように撓み変形し、踏部材２２ｂの先端部が後退して、受け部５０に対する踏部材２２ｂの先端部の掛止が外れ、動物罠用トリガー装置Ａ３が更に下方へ押されて落ちる。なお、踏部材２２ｂは前後両端部が支持されているため、中央部又は中央部に近い所に荷重がかかることで、より大きく変形するので、罠が作動しやすくなる。
【００６９】
これにより、動物罠用トリガー装置Ａ３による両アーム６１、６２先端の掛止が解除されて動物罠Ｔ３が作動する。このとき、動物の足８が、括り輪６９０で括ることができる位置で、且つ充分な踏力を以て踏んでいるので、動物罠用トリガー装置Ａ３が落ちるのに伴い、足８が仕掛け補助具５の内部に深く入り、ワイヤロープ６９の括り輪６９０で脚の元部が括られるため、動物をより確実に捕獲することができる。
【００７０】
また、動物の足８が括り輪６９０の内側を充分でない踏力を以て踏んだときには、上方から荷重が作用しても踏部材２２ｂが充分に変形しない。このため、受け部５０に対する踏部材２２ｂの先端部の掛止が外れないので、動物罠Ｔ３が作動することはない。このように、上記動物罠Ｔ１と同様に、動物の捕獲に失敗する可能性が高い条件下では、動物罠Ｔ３は作動しないので、罠の空作動を防止できる。
【００７１】
〔動物罠用トリガー装置の実施の形態４〕
図９を参照する。なお、図９において、上記動物罠用トリガー装置Ａ１と同一または同等箇所には同一の符号を付して示し、構造について重複する説明は省略する。
動物罠用トリガー装置Ａ４は、掛止部１、掛止部１と一体的に設けられた踏部２ｃ及びトリガー部材４０を有する止め部材４ｃを有している。
【００７２】
踏部２ｃは、金属製で長方形状の踏部材２２ｃを有している。踏部材２２ｃの中央よりやや踏部材取付具２１寄りには、長さ方向に長い長方形状の貫通穴２２０が形成されている。踏部材２２ｃの下面側には、金属製で可撓性を有する長方形状の板体である止め部材４ｃが後部側でネジ止めされている。止め部材４ｃの上面側には、上記貫通穴２２０と対応する位置に、上方へ突出してトリガー部材４０が固定されている。トリガー部材４０の上端部には、貫通穴２２０より横方向へ長い当接部４０１が形成されている。トリガー部材４０は、貫通穴２２０を通り上下動することで、止め部材４ｃを撓み変形させることができる。なお、トリガー部材４０の高さを調節することにより、罠が作動する感度を調節することができる。すなわち、トリガー部材４０をより高く設定することで、感度を良くし罠を作動しやすくすることが可能になる。
【００７３】
（作用）
動物罠Ｔ４は、動物罠用トリガー装置Ａ４と、括り罠本体６及び仕掛け補助具５ａにより構成されている。仕掛け補助具５ａは、受け部５０が設けられている側板５３の上部側に、前部側へ張り出すように設けられたストッパー５４を有している。ストッパー５４は、止め部材４ｃの前方への移動を一定箇所で止めることができれば、その構造、位置又は個数等を特に限定するものではない。また、ストッパー５４は、上記他の動物罠Ｔ１、Ｔ２、Ｔ３及び後述する動物罠Ｔ５の仕掛け補助具に設けることもできる。
【００７４】
動物罠Ｔ４によれば、仕掛け補助具５ａに対する動物罠用トリガー装置Ａ４のセッティングの際に、止め部材４ｃの先端をストッパー５４に当接させるだけで、踏部材２２ｃが当初設定通りの位置に配置される。これにより、例えば踏部材２２ｃの先端部が出過ぎて受け部５０に掛かってしまうことで動物罠用トリガー装置Ａ４が落ちずに罠が作動しなくなる事態を回避することが可能になり、簡単でより確実な仕掛けができる。
【００７５】
そして、トリガー部材４０を動物の足８が踏んで荷重がかかると、トリガー部材４０が下降して止め部材４ｃが下方へ膨らむように撓み変形し、踏部材２２ｃの先端部が後退して、受け部５０に対する踏部材２２ｃの先端部の掛止が外れ、トリガー部材４０の上端部の当接部４０１が貫通穴２２０の縁に当たり、更に踏部材２２ｃを下方へ押すことにより動物罠用トリガー装置Ａ４が落ちる。これにより、動物罠用トリガー装置Ａ４による両アーム６１、６２先端の掛止が解除されて動物罠Ｔ４が作動する。このとき、動物の足８が、括り輪６９０で括ることができる位置で、且つ充分な踏力を以て踏んでいるので、動物罠用トリガー装置Ａ４が落ちるのに伴い、足８が仕掛け補助具５ａの内部に深く入り、ワイヤロープ６９の括り輪６９０で脚の元部が括られるため、動物をより確実に捕獲することができる。
【００７６】
また、動物の足８がトリガー部材４０を踏まずに括り輪６９０の内側を充分でない踏力を以て踏んだときには、上方から踏部材２２ｃに荷重が作用しても止め部材４ｃが充分に変形しない。このため、受け部５０に対する止め部材４ｃの先端部の掛止が外れないので、動物罠Ｔ４が作動することはない。このように、上記動物罠Ｔ１と同様に、動物の捕獲に失敗する可能性が高い条件下では、動物罠Ｔ４は作動しないので、罠の空作動を防止できる。
【００７７】
〔動物罠用トリガー装置の実施の形態５〕
図１０を参照する。なお、図１０において、上記動物罠用トリガー装置Ａ１と同一または同等箇所には同一の符号を付して示し、構造について重複する説明は省略する。
動物罠用トリガー装置Ａ５は、掛止部１、掛止部１と一体的に設けられた踏部２ｄ及び止め部材４ｄを有している。
【００７８】
踏部２ｄは、金属製で長方形状の踏部材２２ｄを有している。踏部材２２ｄは、基板２２２と、基板２２２と同幅で短い、長さ調節板２２３で構成されている。基板２２２の両側には、それぞれ三箇所に通孔２２４、２２４ａ、２２４ｂ及び通孔２２４ｃ、２２４ｄ、２２４ｅが並んで形成されている。通孔２２４、２２４ａ、２２４ｂは、内側から順に徐々に基板２２２の先端縁に近付くように配置され、通孔２２４ｃ、２２４ｄ、２２４ｅも同様に内側から順に徐々に基板２２２の先端縁に近付くように配置されている。
【００７９】
また、長さ調節板２２３の両側には、それぞれ三箇所にネジ孔２２５、２２５ａ、２２５ｂ及びネジ孔２２５ｃ、２２５ｄ、２２５ｅが並んで形成されている。ネジ孔２２５、２２５ａ、２２５ｂ及びネジ孔２２５ｃ、２２５ｄ、２２５ｅは、長さ調節板２２３の先端縁から同距離に配置されている。
【００８０】
そして、長さ調節板２２３を基板２２２の下面側に重ね、外側の通孔２２４ｂとネジ孔２２５ｂ及び通孔２２４ｅとネジ孔２２５ｅを重ねてネジ止めすることにより、一番長いＬ１までの長さに設定される。また、中側の通孔２２４ａとネジ孔２２５ａ及び通孔２２４ａとネジ孔２２５ａを重ねてネジ止めすることにより、二番目に長いＬ２までの長さに設定される。
【００８１】
さらに、内側の通孔２２４とネジ孔２２５及び通孔２２４とネジ孔２２５を重ねてネジ止めすることにより、一番短いＬ３までの長さに設定される。このように、踏部材２２ｄの長さは、仕掛け補助具５の開口部の差し渡しより、やや短くなる範囲で三段階に調節することができる。
【００８２】
（作用）
動物罠Ｔ５は、動物罠用トリガー装置Ａ５と、括り罠本体６及び仕掛け補助具５により構成されている。動物罠用トリガー装置Ａ５は、踏部材２２ｄの長さが、仕掛け補助具５の開口部の差し渡しより、やや短くなる範囲で三段階に調節することができる。これにより、止め部材４ｄ自体の長さが変化しなくても、踏部材２２ｄの長さを調節することで、止め部材４ｄにおいて踏部材２２ｄの長さ方向先端から突出する部分の長さを調節することができる。
【００８３】
つまり、止め部材４ｄのこの部分は、受け部５０に掛止されることで、踏部材踏部材２２ｄ及び止め部材４ｄに上方から作用する荷重を支える部分であり、踏部材２２ｄの長さ方向先端と受け部５０の縁との間の間隔Ｓが長くなるほど変形に対する剛性がより低くなって変形しやすくなり、短くなるほど剛性が高くなって変形しにくくなる。したがって、踏部材２２ｄの長さを調節することにより、受け部５０に対する止め部材４ｄの先端部の掛止が外れる感度を調節することが可能になる。
【００８４】
そして、例えば捕獲する動物の種類に対応して、上記感度を調節した後、動物の足８がワイヤロープ６９の括り輪６９０の内側を充分な踏力を以て踏んだときには、足８による荷重が踏部材２２ｄに直接又は土や木の葉の層を介し伝わって止め部材４ｄの先端側が下方へ膨らむように撓み変形し、止め部材４ｄの先端部が後退して、受け部５０に対する踏部材２２ｄの先端部の掛止が外れ、更に踏部材２２ｄが下方へ押されることにより動物罠用トリガー装置Ａ５が落ちる。
【００８５】
これにより、動物罠用トリガー装置Ａ５による両アーム６１、６２先端の掛止が解除されて動物罠Ｔ５が作動する。このとき、動物の足８が、括り輪６９０で括ることができる位置で、且つ充分な踏力を以て踏んでいるので、動物罠用トリガー装置Ａ３が落ちるのに伴い、足８が仕掛け補助具５の内部に深く入り、ワイヤロープ６９の括り輪６９０で脚の元部が括られるため、動物をより確実に捕獲することができる。
【００８６】
また、動物の足８が括り輪６９０の内側を充分でない踏力を以て踏んだときには、上方から踏部材２２ｄに対し荷重が作用しても止め部材４ｄが充分に変形しない。このため、受け部５０に対する止め部材４ｄの先端部の掛止が外れないので、動物罠Ｔ５が作動することはない。このように、上記動物罠Ｔ１と同様に、動物の捕獲に失敗する可能性が高い条件下では、動物罠Ｔ５は作動しないので、罠の空作動を防止できる。
【００８７】
〔動物罠用トリガー装置の実施の形態６〕
図１１を参照する。なお、図１１において、上記動物罠用トリガー装置Ａ１と同一または同等箇所には同一の符号を付して示し、構造について重複する説明は省略する。
動物罠用トリガー装置Ａ６は、掛止部１及び掛止部１と一体的に設けられた踏部２ｅを有している。
【００８８】
踏部２ｅは、金属製で可撓性を有する長方形状の板体である踏部材２２ｅを有している。踏部材２２ｅの基端側の両側二箇所には、踏部材２２ｅの長さ方向に長い長孔２２７が表裏面を貫通して形成されている。踏部材２２ｅは、踏部材取付具２１ｅの横板にそれぞれ長孔２２７に通した二本の蝶ネジ２２８によって固着されている。
【００８９】
また、踏部材２２ｅには、先端側に三箇所、剛性が低くなるように、又は撓みやすいように、調節するための抜き部２２１が形成されており、中央部には取り扱いを容易にする円形の指入れ孔２２６が形成されている。
【００９０】
踏部材２２ｅは、蝶ネジ２２８を緩めてスライド調節が可能であり、踏部材取付具２１ｅの縦板から踏部材２２ｅの先端までの長さは、仕掛け補助具５と組み合わせてセットしたときに、先端部が仕掛け補助具５の開口部の縁にある受け部５０に届いて掛止できる長さになるように設定され、蝶ネジ２２８を締め付けて固定されている。
なお、踏部材２２ｅは、先端部が受け部５０から突出する長さを調節することにより、罠が作動する感度を調節することができる。
【００９１】
（作用）
図１１及び図１２を参照する。
動物罠Ｔ６は、動物罠用トリガー装置Ａ６と、括り罠本体６及び仕掛け補助具５により構成されている。そして、獣道７を移動する動物の足８がワイヤロープ６９の括り輪６９０の内側を充分な踏力を以て踏んだときには、足８による荷重が踏部材２２ｅに直接又は土や木の葉の層を介し伝わって踏部材２２ｅが下方へ膨らむように（又は曲がるように）撓み変形し、踏部材２２ｅの先端部が後退して、受け部５０に対する踏部材２２ｅの先端部の掛止が外れ、動物罠用トリガー装置Ａ６が更に下方へ押されて落ちる。
【００９２】
これにより、動物罠用トリガー装置Ａ６による両アーム６１、６２先端の掛止が解除されて動物罠Ｔ６が作動し、上記と同様に動物を捕獲することができる。
そして、動物罠Ｔ６の作動後、図１２に示すように踏部材２２ｅが下方へ膨らむように撓み変形し、仕掛け補助具５の内部で踏部材２２ｅの撓み性によるバネが利いた状態で固定されてしまうことがある。
【００９３】
このような場合、各蝶ネジ２２８を緩めると、踏部材２２ｅの反発力で踏部材２２ｅの蝶ネジ２２８で固定されていた部分がスライドし、踏部材取付具２１ｅの縦板から踏部材２２ｅの先端までの長さ（踏部２ｅ全体の長さ）が短くなることにより、バネ力を弱めることができる。そして、指入れ孔２２６に指を掛ける等して引っ張れば、比較的容易に踏部２の引っ掛かった状態を解除できる。これにより、罠をセットし直すときに作業がしやすくなる。
【００９４】
図１３を参照する。
図１３（ａ）に示す踏部材２２ｆには、基端側の両側二箇所に、上記踏部材２２ｅのような長孔２２７ではなく、踏部材２２ｆの長さ方向に長い切欠条２２７ｆが形成されている。各切欠条２２７ｆは、踏部材２２ｆの基端から同幅で切り込まれて所要の長さに形成されている。
【００９５】
（作用）
この踏部材２２ｆを図８に示す踏部材２２ｂと同様に、踏部材取付具２１に取り付けて使用すれば、上記踏部材２２ｅのように、仕掛け補助具５の内部で踏部材２２ｆの撓み性によるバネが利いた状態で固定されてしまった場合、同様に各蝶ネジ２２８を緩めてバネ力を弱めることができる。
なお、必要であれば、蝶ネジ２２８を取り外すことなく緩めるだけで、踏部材２２ｆを抜き取るようにして踏部材取付具２１から取り外すことができ、罠をセットし直すときの作業がしやすくなる。
【００９６】
また、図１３（ｂ）に示す踏部材２２ｇには、基端側の両側二箇所に、長孔２２７ｇが形成されている。各長孔２２７ｇは、図に示すように踏部材２２ｆの基端側が普通の同幅の長孔部であり、先端部は長孔部の幅より径大な円孔部となっている。なお、この円孔部の直径は、固定用のネジ（図示省略）の頭の直径より径大に形成されている。
【００９７】
（作用）
この踏部材２２ｇを、例えば固定用の普通のネジで踏部材取付具２１に取り付けて使用したときに、上記踏部材２２ｅのように、仕掛け補助具５の内部で踏部材２２ｇが撓み性によるバネが利いた状態で固定されてしまった場合、各固定用のネジを緩めてバネ力を弱めることができる。
【００９８】
また、必要であれば、踏部材２２ｇがスライドしたときに、各長孔２２７ｇの円孔部を固定用ネジの頭に合わせれば、蝶ネジ２２８を取り外すことなく緩めるだけで、踏部材２２ｇを踏部材取付具２１から取り外すことができ、罠をセットし直すときの作業がしやすくなる。
【００９９】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【０１００】
Ｔ１  動物罠
Ａ１  動物罠用トリガー装置
１  掛止部
１０  本体
１１  掛部
１２  掛部
１３  取付台具
１４  カバー筒
２  踏部
２１  踏部材取付具
２２  踏部材
２３  掛け爪
２４  長円孔
２５、２５ａ  ネジ孔
３  トリガー部
３１  軸受具
３１０  基盤
３１１  円管
３１２  軸孔
３１３  ネジ孔
３１４  ネジ
３２  トリガー部材
３２０  軸部
３２１  接触体
３２２  ガイド溝
４  止め部材
４１  ネジ
４ｘ  止め部材
４ｙ  止め部材
４ｚ  止め部材
５  仕掛け補助具
５０  受け部
５１  設置部
５２  ワイヤ掛け
５３  側板
６  括り罠本体
６１  固定アーム
６２  跳上げアーム
６３  ねじりコイルバネ
６４  滑車
６５  掛かり部
６６  滑車
６７  掛かり部
６８  杭固定具
６８０  杭
６９  ワイヤロープ
６９０  括り輪
７  獣道
７０  仕掛け穴
８  動物の足
Ｔ１ａ  動物罠
７１  木板
７１０  受け部
Ｔ２  動物罠
Ａ２  動物罠用トリガー装置
３ａ  トリガー部
４ａ  止め部材
３２ａ  トリガー部材
３２０ａ  軸部
３２３  主動斜部
４２、４３  ガイド部材
４４  従動口
４４１  口縁
Ｔ３  動物罠
Ａ３  動物罠用トリガー装置
２ｂ  踏部
２２ｂ  踏部材
２２１  抜き部
２２６  指入れ孔
Ｔ４  動物罠
Ａ４  動物罠用トリガー装置
２ｃ  踏部
４０  トリガー部材
４０１  当接部
４ｃ  止め部材
２２ｃ  踏部材
２２０  貫通穴
５ａ  仕掛け補助具
５３  側板
５４  ストッパー
Ｔ５  動物罠
Ａ５  動物罠用トリガー装置
２ｄ  踏部
２２ｄ  踏部材
２２２  基板
２２３  長さ調節板
２２４、２２４ａ、２２４ｂ、２２４ｃ、２２４ｄ、２２４ｅ  通孔
２２５、２２５ａ、２２５ｂ、２２５ｃ、２２５ｄ、２２５ｅ  ネジ孔
４ｄ  止め部材
Ｔ６  動物罠
Ａ６  動物罠用トリガー装置
２ｅ  踏部
２１ｅ  踏部材取付具
２２ｅ  踏部材
２２７  長孔
２２８  蝶ネジ
２２ｆ  踏部材
２２７ｆ  切欠条
２２ｇ  踏部材
２２７ｇ  長孔
【図１】
0005859602.tif 000002
【図２】
0005859602.tif 000003
【図３】
0005859602.tif 000004
【図４】
0005859602.tif 000005
【図５】
0005859602.tif 000006
【図６】
0005859602.tif 000007
【図７】
0005859602.tif 000008
【図８】
0005859602.tif 000009
【図９】
0005859602.tif 000010
【図１０】
0005859602.tif 000011
【図１１】
0005859602.tif 000012
【図１２】
0005859602.tif 000013
【図１３】
0005859602.tif 000014